(57)【特許請求の範囲】
【請求項１】
発熱部品を内蔵する本体と、本体上に配置されるキーボードとを備えたキーボード組込型情報処理装置において、
前記キーボードは前記本体から移動可能な別構造であり、
前記キーボードの手前側端の近傍に位置して該キーボードに回動自在に取り付けられ、前記本体の側面に設置された前側ガイド突起に摺動自在に取り付けるための直線状の長孔を有する前側支持部材と、
前記キーボードの奥側端の近傍に位置して該キーボードに回動自在に取り付けられ、前記本体の側面に設置された奥側ガイド突起に摺動自在に取り付けるためのＬ字型あるいはＪ字型に曲がった長孔を有する奥側支持部材とを有し、
前記キーボードを前記本体への収納位置から前側に持ち上げて前記奥側ガイド突起を前記奥側支持部材の長孔下部の屈曲穴内に着座させることにより奥側は収納時よりも高くなり、前側は収納時の高さと同等でかつ収納時よりも前方向となる入力操作姿勢にキーボードを配置することを特徴とするキーボード組込型情報処理装置。
【請求項２】
前記本体の上面には、前記前側支持部材と前記奥側支持部材により前記キーボードが所定の入力操作姿勢に保持されたことを感知するスイッチを設け、
前記スイッチによりキーボードが所定の入力操作姿勢に支持されたことが検出されない限り、キーボードを利用したキー入力がキャンセルされるように構成したことを特徴とする請求項１に記載のキーボード組込型情報処理装置。
【請求項３】
前記スイッチによりキーボードが所定の入力操作姿勢に支持されたことが検出されない限り、発熱部品としてのマイクロプロセッサ及びＤＣ／ＤＣコンバータの動作を制限し続けることにより、発熱部品からの発熱量を抑制することを特徴とする請求項２に記載のキーボード組込型情報処理装置。
【発明の詳細な説明】
【０００１】
【発明の属する技術分野】
本発明は、キーボード組込型情報処理装置に関し、特に、放熱のための構造を改良したキーボード組込型情報処理装置に関する。
【０００２】
【従来の技術】
近年、使用量が増加しているノート型パーソナルコンピュータ（以下、ノートＰＣと記す）は、内部にマイクロプロセッサやＤＣ／ＤＣコンバータ等の発熱部品を有している。これら発熱部品からの発熱によりノートＰＣ内部の温度が上昇し過ぎると、ノートＰＣの内部部品に悪影響を及ぼす。そこで、発熱部品からの発熱を放熱するためにノートＰＣの上面等の表面に通気口を設けることが知られている。ところが、ノートＰＣの上面等の表面に通気口を設けようとした場合、本体上面にはキーボードが固定的に取り付けられ、本体側面や背面にはフロッピーディスク用の挿入口や、ＣＤ−ＲＯＭの挿入口、或いは、コネクタ等が設置されていることから、レイアウトが難しい。即ち、ノートＰＣの筐体表面に通気口を設けるスペースがない場合が多い。しかも、上記したように筐体表面に通気口を設けた場合であっても、最近のノートＰＣでは内部部品の実装密度が上がり小型化が一層進んでいることから、内部の実装部品等が障害物となり発熱部で発生した熱が通気口から排出されず、内部に熱がこもってしまうという問題があった。
そこで、最近のノートＰＣとしては、放熱のためにマイクロプロセッサ上や筐体の側面等に空冷ファンを設置するタイプのものが増加している。しかし、空冷ファンを設置することは、その空冷ファンを設置するスペースの分だけ装置が大型化するという問題がある。大型化すると持ち運びに不便であるという問題がある。
また、特開平７−１５３８８０号公報や、特開平８−２６３１６２号公報に記載されたように、ノートＰＣ内に空冷ファンと排気ダクトを設けることや、空冷ファンを設けると共に空間を確保する構造を用いることも知られている。しかし、この場合も内部部品の実装密度が高いため、上記した空冷ファンと共に排気ダクトや空間をノートＰＣ内に確保することが難しいという問題があった。
【０００３】
【発明が解決しようとする課題】
本発明は、上述した如き従来の課題を解決するためになされたものであって、小型化且つ高密度実装されたノートＰＣの如きキーボード組込型情報処理装置において、空冷ファンを設置せずとも発熱部品から発生した熱を通気口から放熱させることができるキーボード組込型情報処理装置を提供することを目的とする。
【０００４】
【課題を解決するための手段】
上述の目的を達成するため、請求項１に記載のキーボード組込型情報処理装置は、発熱部品を内蔵する本体と、本体上に配置されるキーボードとを備えたキーボード組込型情報処理装置において、前記キーボードは前記本体から移動可能な別構造であり、前記キーボードの手前側端の近傍に位置して該キーボードに回動自在に取り付けられ、前記本体の側面に設置された前側ガイド突起に摺動自在に取り付けるための直線状の長孔を有する前側支持部材と、前記キーボードの奥側端の近傍に位置して該キーボードに回動自在に取り付けられ、前記本体の側面に設置された奥側ガイド突起に摺動自在に取り付けるためのＬ字型あるいはＪ字型に曲がった長孔を有する奥側支持部材とを有し、前記キーボードを前記本体への収納位置から前側に持ち上げて前記奥側ガイド突起を前記奥側支持部材の長孔下部の屈曲穴内に着座させることにより奥側は収納時よりも高くなり、前側は収納時の高さと同等でかつ収納時よりも前方向となる入力操作姿勢にキーボードを配置することを特徴とする。請求項２の本発明は、請求項１に記載のキーボード組込型情報処理装置において、前記本体の上面には、前記前側支持部材と前記奥側支持部材により前記キーボードが所定の入力操作姿勢に保持されたことを感知するスイッチを設け、前記スイッチによりキーボードが所定の入力操作姿勢に支持されたことが検出されない限り、キーボードを利用したキー入力がキャンセルされるように構成したことを特徴とする。
【０００５】
請求項３の本発明は、請求項２に記載のキーボード組込型情報処理装置において、前記スイッチによりキーボードが所定の入力操作姿勢に支持されたことが検出されない限り、発熱部品としてのマイクロプロセッサ及びＤＣ／ＤＣコンバータの動作を制限し続けることにより、発熱部品からの発熱量を抑制することを特徴とする。
【０００６】
【発明の実施の形態】
以下、本発明の実施形態を図面に基づいて詳細に説明する。
（第１の実施形態）
図１は、本発明に係る第１の実施形態の概略を示す図である。
図１に示したノートＰＣは、ＬＣＤ等の表示装置を備えるとともに本体３の後部により前後方向に開閉可能に枢支された蓋部１と、多数の入力用キーを備えたキーボード２と、マイクロプロセッサやＤＣ／ＤＣコンバータ等の発熱部品、その他の部品類を内蔵する本体３とを備えている。
また、第１の実施形態におけるキーボード２は本体３とは別構造であり、本体３上面から移動（浮上）した所定の入力操作姿勢にロック可能であり、また、本体３の上面には、キーボード２を浮上させた場合に本体３内部に異物等が進入してしまう事態を防ぐ仕切板４が設けられている。更に、仕切板４の近傍には放熱のための通気口５が形成されている。また、蓋部１は、前後方向に開閉可能となるように蝶番等により本体３に枢支されている。
図１（ａ）は、蓋部１を開けた状態であり、キーボード２が収納位置に載置されている場合を示している。図１（ｂ）は、キーボード２を入力操作姿勢に移動（浮上）させることにより、キーボード２と本体１との間に放熱用の空間が形成された状態を示す図である。図１（ｃ）は、キーボード２が無い状態の本体３の上面を示す図である。尚、図１（ｃ）に記載したキーボード２が無い状態は、本体３の上面を説明するために記載したものであり、実際に使用される状態を示すものではない。図１（ｂ）の如くキーボード２を手前側にスライド移動させると共に一部浮上させて入力操作姿勢にロックさせた状態とするために、第１の実施形態では支持具を用いている。
以下、キーボード２を一部浮上させた入力操作姿勢にロックさせるための支持具等について説明する。
【０００７】
図２は、第１の実施形態の構成を示す側面図である。
図２に示したように、第１の実施形態におけるキーボード２は、キーボード２を本体１から一部浮上（前方にスライドさせて後端を浮上）させた入力操作姿勢でロックさせるための支持部材であるキーボード支持部材７、及び、キーボードの前部分が本体３から脱落するのを防ぐための支持部材である支持具１１により、操作入力姿勢にロックされている。
キーボード支持部材７は、キーボード２に取り付けるための丸孔７ａと本体３に摺動自在に取り付けるための長孔７ｂを有し、長孔７ｂは略「Ｌ」或は「Ｊ」字型に曲がっている。キーボード支持部材７の丸孔７ａは、キーボード２の奥側端の近傍に回動自在に取り付けられ、キーボード支持部材７の長孔７ｂは、本体３の側面に設置されているガイド突起１０に摺動自在に遊嵌される。
前方に位置する支持部材１１も、キーボード２に回動自在に取り付けるための丸孔１１ａと本体３に摺動自在に係合する長孔１１ｂを有する。支持部材１１の長孔１１ｂは例えば直線状である。支持部材１１の丸孔１１ａは、キーボード２の手前側端の近傍に取り付けられ、支持部材１１の長孔１１ｂは、本体３の側面に設置されているガイド突起４０に摺動自在に遊嵌される。支持部材１１の長孔１１ｂを直線状とした理由は、キーボード２の手前側は、本体３の手前側上角部６により支持された状態で、この部分を支点としてキーボード２が単純に上下方向に回動するからである。
【０００８】
図１（ａ）に示した収納位置にあるキーボード２を入力操作姿勢にロックするための操作は、図１（ａ）の如く本体上面にセットされたキーボード２を図２の方向８へ持ち上げることにより行われる。その際、キーボード支持部材７は、その長孔７ｂがガイド突起１０を挟んだ状態で摺動する。図１（ａ）の状態ではキーボード支持部材７の長孔７ｂの上端部にガイド突起１０が接しており、キーボード２が浮上するにつれて、ガイド突起１０は相対的に長孔７ｂ内を下に向かい最後に長孔下部の屈曲穴に入り込んでその終端部で停止する。キーボード支持部材７をこのように摺動させて長孔下部の屈曲穴内にガイド突起を着座させることにより、キーボード２は入力操作姿勢にロックされる。また、その際、前方の支持部材１１も、その長孔１１ｂがガイド突起４０を挟みつつ摺動する。支持部材１１の摺動方向は、長孔１１ｂの上端から下端へ向かう方向である。
図２に示した入力操作姿勢にロックされたキーボード２を本体３上の収納位置に戻すには、キーボード２を方向９の方へ一旦持ち上げてから本体３上の収納位置に降ろす。その場合もキーボード支持部材７は、その長孔７ｂがガイド突起１０を挟むように摺動する。その際のキーボード支持部材７の摺動方向は、キーボード支持部材７の長孔７ｂの屈曲穴内からガイド突起１０が抜け出て長孔７ｂ内を上方向へ相対的に移動するように摺動する。キーボード支持部材７がこのように動作することにより、キーボード２は入力操作姿勢にロックされた位置から解除されて図１（ａ）に示した本体３上の収納位置に収納される。また、その際、前方の支持部材１１も、その長孔１１ｂがガイド突起４０に沿って摺動する。支持部材１１の移動方向は、長孔１１ｂの下端から上端へ向かう方向である。
【０００９】
このようにして、小型化且つ部品が高密度収納されたキーボード組込型情報処理装置としてのノートＰＣであっても、内部発熱を放熱するための通気口を確保することができる。また、これら通気口５は本体上面の広い範囲に亙って設けられており、またこれを発熱部品の近傍に配置することにより、内部の熱を有効に放熱する上で有効に機能する。仮に、内部部品の密度が高い為に発熱を通気口に導く経路が確保されないとしてもノートＰＣは本来薄型であり、その本体上面に広範な面積を有する通気口５を配置すれば、発熱部品からの発熱を容易に通気口５に導いて廃熱することが可能となる。特に、発熱部品の近傍位置に通気口５を適切に臨接配置すれば、廃熱効果は十分なものとなる。
次に、本体３の上面に設けられたスイッチ１２について説明する。スイッチ１２は、本体３上の収納位置に着座収納されていたキーボード２が一部浮上して入力操作姿勢位置にロックされ、通気口５の上部に熱を排出させるための空間ができたことを検出するスイッチである。スイッチ１２は、入力操作姿勢におけるキーボード２の下面と本体３上面との距離を検出する手段である。
例えば、仮にスイッチ１２が無い場合を想定すると、キーボード２が本体３上の収納位置に載置されたままであっても何らの制限も無くキーボードを使用できることになる。すると、本体３上の通気口５から放熱できない状態のまま、キーボード２が使用されて装置内部の温度上昇や装置の誤動作を招くおそれがでてくる。しかし、スイッチ１２を設けて、キーボード２が本体３上の収納位置から浮上して入力操作姿勢にならない限り本装置を使用できないようにすれば、装置内部の温度上昇や装置の誤動作を避けることができる。
以下に、スイッチ１２により検出した信号を用いる電気回路について説明する。
【００１０】
図３は、スイッチ１２により検出した信号を用いる電気回路の機能ブロック図である。
図３に示した回路は、前記キーボード２とスイッチ１２に加え、キーボード組込型情報処理装置（以下、本処理装置という）の内部に電源を供給するＤＣ／ＤＣコンバータ３１と、商用電源の電圧を直流変換してＤＣ／ＤＣコンバータ３１に供給するＡＣアダプタ３２と、商用電源から電圧が得られない場合に直流電圧を供給する電池３２と、ＤＣ／ＤＣコンバータ３１から本処理装置の内部に供給する電源を管理するパワーコントロールマイコン３４と、本処理装置の内部装置全体を制御するＣＰＵ３５と、本処理装置の各内部装置間における信号経路であるバス３６と、キーボード２の制御を行うキーボードマイコン３７と、ＢＩＯＳを格納したＲＯＭ等のその他の周辺デバイス３８とを備えている。パワーコントロールマイコン３４とＤＣ／ＤＣコンバータ３１との間、パワーコントロールマイコン３４とＣＰＵ３５とキーボードマイコン３７とその他の周辺デバイス３８との相互間は、バス３６により接続されている。
次に、図３の動作について説明する。
ＤＣ／ＤＣコンバータ３１は、パワーコントロールマイコン３４の制御により、本処理装置の各内部装置に適した直流電圧ＶＣＣを供給する。
【００１１】
スイッチ１２がキーボード２が入力操作姿勢でない状態を検出している間は、パワーコントロールマイコン３４は、ＤＣ／ＤＣコンバータ３１からキーボード２への電圧出力を停止するか、その他の周辺デバイス３８中のＢＩＯＳを格納したＲＯＭを用いてキーボードマイコン３７に対するキーボード２からの入力が無効となるように制御することにより、キーボード２によるキー入力操作を無効にする。
スイッチ１２がキーボード２が入力操作姿勢になったことを検出すると、パワーコントロールマイコン３４は、その検出信号をトリガーとして、ＤＣ／ＤＣコンバータ３１からキーボード２への電圧出力を開始するか、その他の周辺デバイス３８中のＢＩＯＳを格納したＲＯＭを用いてキーボードマイコン３７に対するキーボード２からの入力が有効であるように制御することにより、キーボード２によるキー入力操作を有効にする。
このように動作させることにより、キーボード２が入力操作姿勢にロックされていない時には、キーボード２を無効化することができる。その結果、装置内部の温度上昇や装置の誤動作を引き起こすおそれを無くすことができる。
【００１２】
ところで、上記のようにキーボード２を無効化しても、キーボード組込型情報処理装置の起動プログラムに自動動作する内容がプログラムされている場合には、装置内部の温度上昇や装置の誤動作を引き起こすおそれが残るという問題がある。また、キーボード組込型情報処理装置を短時間だけ使用したい場合等には、起動時にキーボード２を入力操作姿勢にロックしてからでなければキーボード組込型情報処理装置を使用できないので、操作者が不便を感じるという問題がある。
そこで、本発明ではキーボード２が入力操作姿勢にない場合には、キーボード２を用いたキー入力操作を無効にする代わりに、キーボード組込型情報処理装置中の発熱部（発熱部品）の動作を制限することにより、上記問題を解決する。
その場合の回路構成は図３と同一であるが、動作内容は次のように異なる。
即ち、スイッチ１２によりキーボード２が入力操作姿勢でない状態を検出している間は、パワーコントロールマイコン３４は、ＤＣ／ＤＣコンバータ３１から本処理装置内の発熱部への電圧出力を制限する。具体的には、ＤＣ／ＤＣコンバータ３１からの電圧出力を制限したり、電池３３への充電電流を制限したり、ＣＰＵ３５の動作スピードを制限する。この制限は、パワーコントロールマイコン３４の指示によりその他の周辺デバイス３８中のＢＩＯＳを格納したＲＯＭを用いて行う。
スイッチ１２がキーボード２が入力操作姿勢になったことを検出すると、パワーコントロールマイコン３４は、その検出信号をトリガーとして、上記制限を解除する。
【００１３】
このように動作させることにより、キーボード２が入力操作姿勢にロックされていない時であっても、キーボード組込型情報処理装置の動作内容を制限して動作させることができる。従って、起動プログラムに自動動作する内容がプログラムされている場合であっても、装置内部の温度上昇や装置の誤動作を招くおそれを無くすことができる。また、キーボード２が入力操作姿勢になくても発熱部品の動作を制限した状態で操作はできるので、短時間使用する場合等には、すぐにキー操作を始めることができ、操作者が感じる不便を無くすことができる。
ところで、上記第１の実施形態では、キーボード２が入力操作姿勢でロックされる角度は１種類である。しかし、個々の操作者毎により入力操作姿勢の好みの角度は異なっているので、操作者によっては、キーボード２の入力操作姿勢に不便を感じる人がいる。次に説明する第２の実施形態では、キーボード２の入力操作姿勢の角度を任意に変更設定できる機構を持たせることにより、上記した問題を解決する。
【００１４】
（第２の実施形態）
図４に示した第２の実施形態は、キーボード２を一部浮上させ入力操作姿勢にロックさせるための支持部材に関して、図２に示した第１の実施形態とは異なる。そこで、第１の実施形態と異なる第２の実施形態の支持部材について、以下に説明する。
図４は、第２の実施形態の構成を示す側面図である。
図４に示した構成と図２に示した構成との相違点は、図２におけるキーボード支持部材７が、図４では、形状の異なるキーボード支持部材１３に変わっている点のみであり、他の構成は同一である。従って、キーボード支持部材１３以外の構成の詳細な説明は省略する。
キーボード支持部材１３は、キーボード２に取り付けるための丸孔１３ａを有している点ではキーボード支持部材７と同じであるが、本体３に摺動自在に取り付けるための「Ｌ」字型に曲がった長孔７ｂは無い。その代わり、キーボード支持部材１３では、各入力操作姿勢に対応して設けられた複数のロック位置を有した鋸歯状の長孔１３ｂを有している。この長孔１３ｂにおける鋸歯状の歯１３ｃの１個づつがガイド突起１０により係止される位置、即ち、入力操作姿勢のロック位置となる。
キーボード２を入力操作姿勢にロックするための操作は、キーボード２を方向８へ持ち上げて、鋸歯状の任意に選択された歯１３ｃの位置にガイド突起１０を位置させてからキーボード２を少し降ろすことにより、キーボード支持部材１３は、その鋸歯状の歯１３ｃの位置でロックされ、キーボード２もそれに従い任意に選択された入力操作姿勢でロックされる。
【００１５】
任意に選択された入力操作姿勢でロックされたキーボード２を本体３上の収納位置に戻す方法は、第１の実施形態の場合と同一である。また、任意に選択された入力操作姿勢でロックされたキーボード２を他の入力操作姿勢でロックさせるには、キーボード２を方向９の方へ一旦持ち上げてから、鋸歯状の別の歯１３ｃの位置にガイド突起１０を位置させるようにキーボード２を移動させてから少し降ろすようにすればよい。
このようにして、第２の実施形態では、キーボード２を任意の入力操作姿勢でロックさせることができる。従って、第２の実施形態では、個々の操作者毎に異なるキーボード２の好ましい入力操作姿勢に合わせてキーボード２をロックすることができ、その結果、キーボード２の操作性が向上する。
ところで、キーボード２を上記各実施形態のように入力操作姿勢にロックすると、そのままでは蓋部１が閉まらない。そのため、蓋部１を閉めるためには、必ずキーボード２を手作業にて本体３上の収納位置に戻さなければならず、操作者が不便を感じるという問題がある。また、キーボード２が入力操作姿勢にロックされているにもかかわらず、誤って蓋部１を閉めようとすると、蓋部１に備えられたＬＣＤ等の表示装置を破損する場合があるという問題がある。次に説明する第３の実施形態では、蓋部１を閉める動作に連動して自動的にキーボード２が本体３の収納位置に戻る機構を備えることにより、上記した問題を解決する。
【００１６】
（参考形態）
図５は、本発明の参考形態の概略の構成を示す側面図である。
図５の参考形態は、蓋部１を支持する蝶番の軸または軸の延長上に設けられて蓋部１と一体的に回動する扇形突出部１４と、上方に扇形突出部１４と係合する鈎状の係合部１５ａを有し且つ下方に斜辺部１５ｂを備えると共に扇形突出部１４の回動に連動して上下に平行動作するＬ字型部材１５と、Ｌ字型部材１５の斜辺部１５ｂが上下に平行動作することにより斜辺部１６ａを介して押圧されて水平方向に動作する伝達部材１６と、伝達部材１６が水平動作することによりキーボード２を方向９へ押し上げる押し上げ部材２３を有する。
Ｌ字型部材１５の下部に位置する三角形状部には上下方向に延びる長孔１５ｃが貫通形成され、この長孔１５ｃ内には本体３から突出したガイド突起４０が遊嵌されており、Ｌ字型部材１５を所定の上下方向経路で昇降させ得るように構成している。必要に応じてＬ字型部材１５を下方に弾性付勢してもよいし、上下方向に安定して移動させる為のガイドを設けてもよい。
また、伝達部材１６の長孔１６ｂ内に本体３から突出したガイド突起４２が遊嵌しており、伝達部材１６を横方向へスライド自在にガイドしている。伝達部材１６はその斜辺部１６ａと斜辺部１５ｂとの摺動により発生する横方向へのスラスト荷重によって横方向へ進退動作する。なお、必要に応じて伝達部材１６を矢印１８とは反対側の復帰方向に弾性付勢したり、水平姿勢を維持したまま横方向に進退させる為のガイドを設けてもよい。
【００１７】
従って、蓋部１を閉める操作を行った時に、扇形突出部１４の反時計回り方向への回転動作→Ｌ字型部材１５の上方向１７への動作→伝達部材１６の方向１８への動作→押し上げ部材２３の上昇動作及び回転動作とが行われ、最終的にキーボード２を自動的に方向９へ押し上げることになる。尚、押し上げ部材２３の上昇動作及び回転動作とは、押し上げ部材２３の下端２１が伝達部材１６により水平方向に押されることにより、押し上げ部材２３が本体３に固定された軸２０を中心に時計廻り方向へ回動しながら、押し上げ部材２３自体がその長辺方向に押し上げられる動作を意味する。方向９へ移動した後のキーボード２は、最終的に自重等により下降して本体３上の収納位置に着座する。
このようにして、蓋部１を閉める動作に連動して自動的にキーボード２を入力操作姿勢から本体３上の収納位置に戻すことができるので、蓋部１を閉めようとする時に操作者が感じる不便を無くすことができ、キーボード２が入力操作姿勢にロックされている場合に誤って蓋部１を閉めようとしてもＬＣＤ等を破損させることが無くなる。
尚、第３の実施形態における動作の伝達方法は、他の伝達方法でもよく、例えば、図５の扇形突出部１４、Ｌ字型部材１５及び伝達部材１６に代えて、蓋部１にワイヤの一端を固定し、ワイヤの他端を押し上げ部材２３の下端２１に固定し、本体等に設けたプーリによりワイヤを所定の経路に沿って導くことにより、蓋部１を閉止する動作に連動してキーボードが収納位置に下降、着座するように構成してもよい。
【００１８】
【発明の効果】
上記のように請求項１に記載の本発明では、小型化され且つ部品が高密度実装されたノートＰＣの如きキーボード組込型情報処理装置であっても、内部発熱を放熱するための通気口を確保することができる。つまり、ＰＣ本体の上面に広い範囲に亙って通気口を設けることができるようにキーボードを本体上面から浮上させるように構成したので、キーボード使用時には必ず通気口が開放した状態となり、内部発熱を確実に廃熱することができることとなる。特に、ノートＰＣ等は薄型であり、内部の発熱部から通気口までの距離が僅かである為、内部部品が緊密に詰め込まれていたとしても大きな通気口を確保することにより、比較的効率よく内部熱を放熱することができる。特に、発熱部品の配置箇所をねらって通気口を形成することにより、廃熱効率を更に高めることができる。
また、請求項２に記載の本発明では、スイッチにより、キーボードが本体上の収納位置から一部浮上されて入力操作姿勢にならないとキーボード組込型情報処理装置を使用できないようにしているので、装置内部の温度上昇や装置の誤動作を避けることができる。
【００１９】
また、請求項３に記載の本発明では、キーボードが入力操作姿勢にロックされていない時であっても、制限された動作内容ではあるが、キーボード組込型情報処理装置を使用することができるので、操作者が感じる不便を無くすことができると共に、起動プログラムに自動動作する内容がプログラムされている場合であっても、装置内部の温度上昇や装置の誤動作を引き起こすおそれを無くすことができる。
【図面の簡単な説明】
【図１】（ａ）（ｂ）及び（ｃ）は、本発明に係るの第１の実施形態の概略を示す図である。
【図２】第１の実施形態の構成を示す側面図である。
【図３】スイッチにより検出した信号を用いる電気回路の機能ブロック図である。
【図４】第２の実施形態の構成を示す側面図である。
【図５】第３の実施形態の概略の構成を示す側面図である。
【符号の説明】
１・・・蓋部、２・・・キーボード、３・・・本体、４・・・ガイド、５・・・通気口、６・・・本体３の手前側、７、１３・・・キーボード支持部材、８、９、１７、１８・・・方向、１０、４０・・・ガイド突起、１１・・・ガイド突起、１２・・・スイッチ、１４・・・扇形突出部、１５・・・・Ｌ字型部材、１６・・・伝達部、３１・・・ＤＣ／ＤＣコンバータ、３２・・・ＡＣアダプタ、３３・・・電池、３４パワーコントロールマイコン、３５・・・ＣＰＵ、３６・・・バス、３７・・・キーボードマイコン、３８・・・その他周辺デバイス、２３・・・押し上げ部
【図１】
0004085349.tif 000002
【図２】
0004085349.tif 000003
【図３】
0004085349.tif 000004
【図４】
0004085349.tif 000005
【図５】
0004085349.tif 000006